(57)【特許請求の範囲】
【請求項１】
発電プラントの温水循環系統に設置され、この温水循環系統の系統内水を蒸気により熱交換する発電プラント用ジェット加温装置であって、蒸気の直接流入による蒸気凝縮の衝撃を緩和しつつ上記系統内水を加温する加温手段と、蒸気を駆動流体として上記系統内水を循環させるジェットポンプ手段とを併有したことを特徴とする発電プラント用ジェット加温装置。
【請求項２】
発電プラントの系統内水を誘導する系統内水誘導管と、蒸気源からの蒸気を誘導し上記系統内水を加温する蒸気誘導管と、この蒸気誘導管からの蒸気流入時の上記系統内水との衝撃を緩和させる衝撃緩和材が充填された衝撃緩和材充填部と、蒸気を駆動流体として外周より噴射して上記系統内水を循環させる外周ノズル型ジェットポンプとを備えたことを特徴とする発電プラント用ジェット加温装置。
【請求項３】
発電プラントの系統内水を誘導する系統内水誘導管と、この系統内水誘導管内に挿入されるとともに、蒸気源からの蒸気を誘導し上記系統内水を加温する蒸気誘導管と、この蒸気誘導管からの蒸気流入時の上記系統内水との衝撃を緩和させる衝撃緩和材が充填された衝撃緩和材充填部と、蒸気を駆動流体として系統内水の流れ方向に噴射して系統内水を循環させる噴流型ジェットポンプとを備えたことを特徴とする発電プラント用ジェット加温装置。
【請求項４】
衝撃緩和材充填部に開閉蓋を取り付けたことを特徴とする請求項２または３記載の発電プラント用ジェット加温装置。
【請求項５】
発電プラントの系統内水を誘導する系統内水誘導管と、この系統内水誘導管内に挿入されるとともに、蒸気源からの蒸気を誘導し上記系統内水を加温する蒸気誘導管と、この蒸気誘導管の先端に装着され蒸気流入時の上記系統内水との衝撃を緩和させる衝撃緩和材が充填された緩和材充填管と、蒸気を駆動流体として系統内水の流れ方向に噴射して系統内水を循環させる噴流型ジェットポンプとを備えたことを特徴とする発電プラント用ジェット加温装置。
【請求項６】
衝撃緩和材は、円筒状に形成されたことを特徴とする請求項２，３または５記載の発電プラント用ジェット加温装置。
【請求項７】
衝撃緩和材は、テトラポット状に形成されたことを特徴とする請求項２，３または５記載の発電プラント用ジェット加温装置。
【発明の詳細な説明】
【０００１】
【産業上の利用分野】
本発明は発電プラントにおいて、例えば海洋生息物除去装置としての温水循環系統に設置される発電プラント用ジェット加温装置に関する。
【０００２】
【従来の技術】
図１３は従来の発電プラントにおける海洋生息物除去装置用の温水循環系統を示す系統図である。図１３に示すように、海水により復水器１を冷却する循環水管２には、循環水ポンプ３および循環水止め弁４，４が設けられ、これらの循環水止め弁４，４はそれぞれ復水器１の入口および出口側に設けられている。
【０００３】
また、温水循環配管５には、上流側から温水循環入口弁６，温水循環ポンプ７，温水循環ポンプ出口逆止弁８，温水循環加温器９および温水循環加温器出口弁１０が順次設けられている。そして、温水循環加温器９には、蒸気源１１からの蒸気が蒸気調節弁１２および蒸気流入逆止弁１３を通して供給される。
【０００４】
上記の構成において、海水により復水器１を冷却する循環水管２は、使用している間に海洋生息物を付着させてしまう。よって、循環水止め弁４，４を閉じて循環水管２を仕切った後、温水循環入口弁６および温水循環加温器出口弁１０を開にして温水循環配管５の循環水を温水循環加温器９において蒸気源１１からの蒸気と直接熱交換させることにより、温水循環配管５の循環水は所定の温度に加温され、温水循環ポンプ７により系内の温水を循環させる。このように温水を循環させることで、循環水管２に付着した海洋生息物は死滅することになる。
【０００５】
図１４は図１３の温水循環加温器９を示す断面図である。図１４に示すように、温水循環加温器９は蒸気直接熱交換式加温器であり、系統内水誘導管１４に対して蒸気誘導管１５が直交して配設され、系統内水誘導管１４には温水循環ポンプ７により循環される系統内水（海水）が誘導される一方、蒸気誘導管１５には上記系統内水を加温するために蒸気源１１からの蒸気が誘導される。
【０００６】
これら系統内水誘導管１４と蒸気誘導管１５との間には、図１５に示すようなばね単体群からなる蒸気衝撃緩和材１６が充填されている。また、蒸気誘導管１５には小孔・多孔板１７が取り付けられる一方、系統内水誘導管１４には小孔・多孔管１８が取り付けられている。そして、温水循環ポンプ７により循環される系統内水が系統内水誘導管１４に誘導され、蒸気はこの系統内水を加温するために蒸気源１１から蒸気誘導管１５に誘導され、小孔・多孔板１７，蒸気衝撃緩和材１６を通して小孔・多孔管１８から噴射される。
【０００７】
図１６および図１７はそれぞれ従来のジェットポンプを示す断面図であり、図１６に示すジェットポンプは外周ノズル型ジェットポンプであり、図１７に示すジェットポンプは噴流型ジェットポンプである。
【０００８】
図１６に示す外周ノズル型ジェットポンプは、循環する系統内水が誘導される系統内水誘導管１９と、この誘導管１９の外周方向から系統内水の流れる方向に駆動流体を噴射する噴射ノズル２０と、この噴射ノズル２０に駆動流体を導く駆動流体輸送管２１と、系統内水誘導管１９に連設された拡大管２２とを備えている。
【０００９】
上記の構成において、系統内水は系統内水誘導管１９を通してポンプ内に誘導される。また、駆動流体は駆動流体輸送管２１から系統内水誘導管１９の周囲に形成された空間内に流入した後、噴射ノズル２０から系統内水の流れ方向に噴射される。そして、上記系統内水と駆動流体とが混合した後、系統内水に加えられた速度ヘッドは、拡大管２２により圧力ヘッドに変換される。
【００１０】
他方、図１７に示す噴流型ジェットポンプは、系統内水の流れる方向と同一方向に駆動流体を噴射する構造であり、循環する系統内水が誘導される系統内水誘導管２３と、系統内水の流れる方向と同一方向に配置された駆動流体誘導管２４と、この駆動流体誘導管２４の先端に設けられた噴射ノズル２５と、系統内水誘導管２３と一体に形成された流体混合デフューザ管２６とを備えている。
【００１１】
上記の構成において、系統内水は系統内水誘導管２３を通してジェットポンプの噴射ノズル２５を取り囲む所定空間内に満たされた後、駆動流体誘導管２４から駆動流体が流入すると、この駆動流体が噴射ノズル２５から噴射され、上記所定空間内の系統内水に速度ヘッドが与えられ、流体混合デフューザ管２６により混合され、速度ヘッドは圧力ヘッドに変換される。これに追従して系統内水は系統内水誘導管２３から供給される。
【００１２】
【発明が解決しようとする課題】
ところで、従来、海洋生息物除去装置用の温水循環系統においては、図１３に示すように温水（流体）を蒸気により加温する温水循環加温器９と、温水を循環させる温水循環ポンプ７とが別々に設置されている。
【００１３】
したがって、温水循環加温器９と温水循環ポンプ７との双方の広い設置スペースが必要であり、温水循環ポンプ７の容量も温水循環加温器９の圧力損失が大きいため、大きくなっている。そこで、発電プラント内の機器の機能を集約化し、効率を向上させ、スペースの有効利用および設備費の削減が求められている。
【００１４】
また、腐食性の高い海水などの流体を取り扱う海洋生息物除去装置用の温水循環系統では、系統内においてステンレス鋼などの金属からなる温水循環加温器９や温水循環ポンプ７などは腐食するため、これを防止・低減させる構造の温水循環加温器９や温水循環ポンプ７が要求されている。そして、上記機器が腐食した場合でも、容易にメンテナンスできることが望まれている。
【００１５】
さらに、図１８は従来の蒸気衝撃緩和材１６に対する蒸気の流れを示す説明図である。図１８に示すように、蒸気衝撃緩和材１６がばね状であると、蒸気の単体量が区切られ、流路もある程度複雑になるものの、流路がばねの間を通り抜け易く、また線状であるため、腐食度の高い流体を使用したり、あるいは侵食され易い環境であると、線形状のばね単体群が保持できなくなり、性能を十分発揮できなくなる問題点があった。
【００１６】
本発明は上述した事情を考慮してなされたもので、加温器と循環ポンプの機能を一体化して、設置スペースを低減するとともに、発電プラント設備の簡素化を図った発電プラント用ジェット加温装置を提供することを目的とする。
【００１７】
【課題を解決するための手段】
上述した課題を解決するために、本発明の請求項１は、発電プラントの温水循環系統に設置され、この温水循環系統の系統内水を蒸気により熱交換する発電プラント用ジェット加温装置であって、蒸気の直接流入による蒸気凝縮の衝撃を緩和しつつ上記系統内水を加温する加温手段と、蒸気を駆動流体として上記系統内水を循環させるジェットポンプ手段とを併有したことを特徴とする。
【００１８】
請求項２は、発電プラントの系統内水を誘導する系統内水誘導管と、蒸気源からの蒸気を誘導し上記系統内水を加温する蒸気誘導管と、この蒸気誘導管からの蒸気流入時の上記系統内水との衝撃を緩和させる衝撃緩和材が充填された衝撃緩和材充填部と、蒸気を駆動流体として外周より噴射して上記系統内水を循環させる外周ノズル型ジェットポンプとを備えたことを特徴とする。
【００１９】
請求項３は、発電プラントの系統内水を誘導する系統内水誘導管と、この系統内水誘導管内に挿入されるとともに、蒸気源からの蒸気を誘導し上記系統内水を加温する蒸気誘導管と、この蒸気誘導管からの蒸気流入時の上記系統内水との衝撃を緩和させる衝撃緩和材が充填された衝撃緩和材充填部と、蒸気を駆動流体として系統内水の流れ方向に噴射して系統内水を循環させる噴流型ジェットポンプとを備えたことを特徴とする。
【００２０】
請求項４は、請求項２または３記載の衝撃緩和材充填部に開閉蓋を取り付けたことを特徴とする。
【００２１】
請求項５は、発電プラントの系統内水を誘導する系統内水誘導管と、この系統内水誘導管内に挿入されるとともに、蒸気源からの蒸気を誘導し上記系統内水を加温する蒸気誘導管と、この蒸気誘導管の先端に装着され蒸気流入時の上記系統内水との衝撃を緩和させる衝撃緩和材が充填された緩和材充填管と、蒸気を駆動流体として系統内水の流れ方向に噴射して系統内水を循環させる噴流型ジェットポンプとを備えたことを特徴とする。
【００２２】
請求項６は、請求項２，３または５記載の衝撃緩和材が円筒状に形成されたことを特徴とする。
【００２３】
請求項７は、請求項２，３または５記載の衝撃緩和材がテトラポット状に形成されたことを特徴とする。
【００２４】
【作用】
上記の構成を有する本発明の請求項１においては、蒸気の直接流入による蒸気凝縮の衝撃を緩和しつつ系統内水を加温する加温手段と、蒸気を駆動流体として系統内水を循環させるジェットポンプ手段とを併有したことにより、発電プラント内の機器の機能を集約化し、効率を向上させ、サイズダウンを図り、スペースを有効利用することができる。
【００２５】
また、蒸気を駆動流体としたジェットポンプ手段を設けたことにより、循環ポンプを削減し、または循環ポンプを付設したとしても、容量の低減が図れ、サイズダウンが実現される。
【００２６】
請求項２においては、蒸気誘導管から蒸気を誘導して系統内水を加温するとともに、外周ノズル型ジェットポンプにより蒸気を駆動流体として外周より噴射して系統内水を循環させるようにしたので、従来の温水循環加温器と温水循環ポンプとが一体化し、コンパクト化が図れ、製造が容易であり、系統の循環ポンプの削減、または循環ポンプを設置したとしても性能・容量を低減させ、サイズ・コストダウンが実現され、システム運用を簡素化することができる。
【００２７】
請求項３においては、蒸気誘導管から蒸気を誘導して系統内水を加温するとともに、噴流型ジェットポンプにより蒸気を駆動流体として系統内水の流れ方向に噴射して系統内水を循環させるようにしたので、請求項２と同様の作用をなす。
【００２８】
請求項４においては、衝撃緩和材充填部に開閉蓋を取り付けたことにより、定期的に衝撃緩和材を点検・交換または補充することができ、ジェット加温装置の寿命を延ばし、かつ性能を維持し、衝撃緩和材の腐食による細分化に伴う自他の機器への目詰まりを防止し、性能の低下を未然に防ぐことができる。また、衝撃緩和材を点検・交換または補充作業が開閉蓋を開けることにより、可能となるので、メンテナンスが容易になる。
【００２９】
請求項５においては、蒸気誘導管の先端に、蒸気流入時の系統内水との衝撃を緩和させる衝撃緩和材が充填された緩和材充填管を装着したことにより、発電プラント内で、流体の腐食性が高い場合、腐食の度合に応じて、容易に緩和材充填管全体を交換したり、緩和材充填管に衝撃緩和材を補充したりすることが可能となる。
【００３０】
請求項６においては、衝撃緩和材が円筒状に形成されたことにより、従来のばね状のものと比較して製造が簡略化され、かつ流入流路に対しても複雑化し、ウォータハンマが低減され、耐食性に優れた効果を発揮する。
【００３１】
請求項７においては、衝撃緩和材がテトラポット状に形成されたことにより、請求項６の円筒状衝撃緩和材と比較して構造が複雑になるものの、流入流路が一段と複雑化し、蒸気単体量が区切られることとなり、ウォータハンマが低減され、耐食性に優れた効果を発揮する。
【００３２】
【実施例】
以下、本発明の実施例を図面に基づいて説明する。
【００３３】
図１は本発明に係る発電プラント用ジェット加温装置の第１実施例を示す断面図である。本実施例では、系統内水の蒸気混合によるウォータハンマ抑制機能を有する加温手段に、蒸気を駆動流体として速度ヘッドを圧力ヘッドに変換するために効果的な形状・構造となる外周ノズル型ジェットポンプ手段を付加している。また、本実施例は、系統内水を加温することに重点をおいた構造である。
【００３４】
具体的に、本実施例の発電プラント用ジェット加温装置３０は、図１に示すように系統内水誘導管３１に対して加温手段としての蒸気誘導管３２が直交して配設され、系統内水誘導管３１には温水循環ポンプにより循環される系統内水（海水）が誘導される一方、蒸気誘導管３２には上記系統内水を加温するために蒸気源からの蒸気が誘導される。
【００３５】
これら系統内水誘導管３１と蒸気誘導管３２との間には、蒸気衝撃緩和材３３が充填される衝撃緩和材充填部３４が形成されている。また、蒸気誘導管３２には、図２（Ａ）に示す小孔・多孔板３５が取り付けられる一方、系統内水誘導管３１には図２（Ｂ）に示す小孔・多孔ノズル管３６が取り付けられている。
【００３６】
そして、系統内水誘導管３１には、その軸方向端部に拡大管３７が連設され、この拡大管３７は系統内水が流れる方向に対して流路が次第に拡大するように形成されている。したがって、小孔・多孔ノズル管３６および拡大管３７は、外周ノズル型ジェットポンプとしての機能を有している。
【００３７】
次に、本実施例の作用について説明する。
【００３８】
温水循環ポンプにより循環される系統内水を系統内水誘導管３１により取り込む一方、蒸気源から加温・駆動蒸気を蒸気誘導管３２から小孔・多孔板３５を通して取り込む。この流入した蒸気は蒸気衝撃緩和材３３により容積が細分化され、小孔・多孔ノズル管３６から系統内水に流入される。
【００３９】
ここで、小孔・多孔板３５および小孔・多孔ノズル管３６は、蒸気衝撃緩和材３３が他の機器に流出するのを防止しており、小孔・多孔ノズル管３６の孔の径は５ｍｍ以下程度に設定され、孔が系統内水の流れる方向に傾斜して形成されていることで、系統内水と蒸気との混合をスムーズに行うことができる。
【００４０】
さらに、系統内水と蒸気は混合後に、小孔・多孔ノズル管３６の絞りノズル部である喉部３６ａを経て、混合による速度ヘッドを高めた上、拡大管３７により圧力ヘッドへと変換される。
【００４１】
このように本実施例によれば、従来の温水循環加温器と温水循環ポンプとを一体化したことにより、コンパクト化が図れ、製造が容易であり、系統の循環ポンプの削減、または循環ポンプを設置したとしても性能・容量を低減させ、サイズ・コストダウンが実現され、システム運用を簡素化することができる。
【００４２】
図３は本発明に係る発電プラント用ジェット加温装置の第２実施例を示す断面図である。なお、前記第１実施例と同一または対応する部分には同一の符号を付して説明する。以下の実施例でも同様である。
【００４３】
本実施例では、蒸気を駆動流体とする噴流型ジェットポンプに、蒸気混合によるウォータハンマを抑制させるため、蒸気誘導管３２に蒸気衝撃緩和材３３を充填する衝撃緩和材充填部３４を形成したものである。また、本実施例は、ウォータハンマを防止しつつ流体を循環駆動することに重点をおいた構造である。
【００４４】
具体的に、本実施例の発電プラント用ジェット加温装置４０では、図３に示すように蒸気誘導管３２がＬ字状に折曲形成して系統内水誘導管３１に挿入され、その入口側および出口側にそれぞれ小孔・多孔板３５が取り付けられ、これらの小孔・多孔板３５間に蒸気衝撃緩和材３３が充填されている。
【００４５】
また、本実施例では、第１実施例の小孔・多孔ノズル管３６の機能を、小孔・多孔板３５と、系統内水誘導管３１に連設した流体混合デフューザ管４１の上流側ノズル部４１ａとにより分担させて、蒸気を駆動流体として系統内水の流れ方向に噴射して系統内水を循環させる噴流型ジェットポンプとしての機能を有している。そして、系統内水誘導管３１に挿入して設けられた蒸気誘導管３２は、その管壁を通しての熱交換効果も期待できる。その他の作用および効果は前記第１実施例と同様であるので、その説明を省略する。
【００４６】
図４および図５はそれぞれ前記第１，第２実施例の変形例を示す断面図である。第１実施例の変形例では、図４に示すように系統内水誘導管３１に開閉可能な緩和材点検蓋３８が取り付けられ、第２実施例の変形例では図５に示すように蒸気誘導管３２に開閉可能な開閉蓋としての緩和材点検蓋４２が取り付けられている。
【００４７】
ところで、ジェット加温装置を海水などの腐食性の高い流体を循環させる系統、または蒸気流速が高速で循環させる系統で使用する場合、内部の蒸気衝撃緩和材３３が腐食・浸食する可能性がある。そして、蒸気衝撃緩和材３３の腐食によりジェット加温装置本体まで腐食する可能性もある。また、発電プラント内は、大型の機器が多く存在し、補修やメンテナンスにおいても莫大な労力を要する。
【００４８】
そのため、上記変形例のように緩和材点検蓋３８，４２を設置し、定期的に蒸気衝撃緩和材３３を点検・交換または補充することにより、ジェット加温装置の寿命を延ばし、かつ性能を維持し、蒸気衝撃緩和材３３の腐食による細分化に伴う自他の機器への目詰まりを防止し、性能の低下を未然に防ぐことができる。また、蒸気衝撃緩和材３３を点検・交換または補充作業が緩和材点検蓋３８，４２を開けることにより可能となるので、メンテナンスが容易になる。
【００４９】
図６は本発明に係る発電プラント用ジェット加温装置の第３実施例を示す断面図である。本実施例の発電プラント用ジェット加温装置５０は、大略的な構成が第２実施例と同様であるものの、蒸気誘導管３２に蒸気衝撃緩和材３３が充填されておらず、蒸気誘導管３２の先端部に緩和材充填短管５１が装着され、この緩和材充填短管５１は入口側および出口側にそれぞれ小孔・多孔板３５が取り付けられ、これらの小孔・多孔板３５間に蒸気衝撃緩和材３３が充填されている。
【００５０】
このように本実施例によれば、発電プラント内で、流体の腐食性が高い場合、腐食の度合に応じて、容易に緩和材充填短管５１全体を交換したり、緩和材充填短管５１に蒸気衝撃緩和材３３を補充したりすることが可能となる。その他の構成および作用は前記第２実施例と同様であるのでその説明を省略する。
【００５１】
図７は本発明に係る発電プラント用ジェット加温装置の第４実施例を示す断面図である。本実施例の発電プラント用ジェット加温装置６０は、合流型ジェット加温装置であり、系統内水誘導管３１に蒸気誘導管３２を傾斜して一体に取り付け、この蒸気誘導管３２に沿って蒸気を誘導し、系統内水誘導管３１から流入した系統内水を駆動させるようにしている。
【００５２】
また、蒸気誘導管３２内には衝撃緩和材充填部３４が形成され、この衝撃緩和材充填部３４に蒸気衝撃緩和材３３が充填され、この蒸気衝撃緩和材３３により蒸気初期流入時の系統内水との衝撃を緩和している。そして、系統内水誘導管３１には、小孔・多孔ノズル管３６が装着され、この小孔・多孔ノズル管３６で系統内水と蒸気とが混合された後、絞りノズル部である喉部３６ａを経て、混合による速度ヘッドを高めた上、拡大管３７により圧力ヘッドへと変換される。
【００５３】
このように本実施例によれば、加温機能と循環ポンプ機能を併有し、構造が極めて簡単であり、大型機器に適用した場合に製造が簡略化される。その他の構成および作用は前記第１実施例と同様であるのでその説明を省略する。
【００５４】
図８は本発明に係る発電プラント用ジェット加温装置の第４実施例の変形例を示す断面図である。この変形例では、蒸気誘導管３２の周面に緩和材点検蓋６１を設置し、定期的に蒸気衝撃緩和材３３を点検・交換または補充することができるようにしている。
【００５５】
ところで、各系統内水は、腐食性の高い海水などの流体を取り扱うものも存在する。これは、系統内の加温器の蒸気衝撃緩和材３３は腐食に弱い構造から、より腐食しにくい構造を採用することで解決される。
【００５６】
図９（Ａ），（Ｂ）は円筒状蒸気衝撃緩和材，その流入流路を示している。図９（Ａ）に示すように、円筒状蒸気衝撃緩和材３３ａは、所定の厚さのステンレス鋼製の管から形成されることにより、従来のばね状のものと比較して製造が簡略化され、かつ流入流路に対しても図９（Ｂ）に示すように複雑化し、ウォータハンマが低減され、耐食性に優れた効果を発揮する。
【００５７】
ここで、以上の条件を十分満たすためには、円筒状蒸気衝撃緩和材３３ａが外径５〜１０ｍｍの円筒で、肉厚を１〜２ｍｍ、長さ１５〜３０ｍｍ程度であることが望ましい。また、図９（Ｂ）において、矢印は蒸気の流れを示している。
【００５８】
図１０（Ａ），（Ｂ）はテトラポット状蒸気衝撃緩和材，その流入流路を示している。図１０（Ａ）に示すように、テトラポット状蒸気衝撃緩和材３３ｂは、ステンレス鋼製で、構造の中心部から３〜５本の円筒または円錐台が外側に向いて放射状に突出している形状である。
【００５９】
これにより、円筒状蒸気衝撃緩和材３３ａと比較して構造が複雑になるものの、流入流路が図１０（Ｂ）に示すように一段と複雑化し、蒸気単体量が区切られることとなり、ウォータハンマが低減され、耐食性に優れた効果を発揮する。
【００６０】
ここで、蒸気衝撃緩和材３３ａ，３３ｂの材料は、ステンレス鋼を用いたが、これに限らずスーパーステンレス，ファインセラミックスまたは四ふっ化エチレン樹脂コーティングなどを使用してもよい。また、蒸気衝撃緩和材の形状も上記以外でもよく、製造を簡略化させるために球状，コイン状，リング状に形成したものであってもよい。
【００６１】
図１１は本発明を適用した発電プラントにおける海洋生息物除去装置用の温水循環系統を示す系統図である。なお、従来と同一の部分には図１３と同一の符号を付して説明する。図１１において、図１３に示す温水循環ポンプ７および温水循環加温器９の代わりに、前記各実施例のジェット加温装置３０，４０，５０または６０を設置することにより、図１３に示す温水循環ポンプ７および温水循環加温器９の機能を代用、または温水循環ポンプ７の容量を軽減させることができる。
【００６２】
図１２（Ａ），（Ｂ），（Ｃ）は本発明を循環ポンプと併用した場合と従来例の循環ポンプとの容量の比較を示す。図１２（Ａ）は系統内から局所的に取り出したジェット加温装置と循環ポンプのヘッドと流量の関係を示す。図１２（Ａ）において、循環ポンプの特性をＨｐ−Ｑｗとし、ジェット加温装置の特性をＨｊｈ−Ｑｓ／Ｑｓ＋Ｑｗとする。ここで、Ｑｗはジェット加温装置の系統内水の流量、Ｑｓはその蒸気流量、Ｈｊｈは循環ヘッド、Ｈｐは容量ヘッドである。
【００６３】
そして、本発明によるジェット加温装置は、図１２（Ｂ）に示すようにジェットポンプの機能を有することで、蒸気流量が増加することとなり、循環ヘッドＨｊｈを発生させる。その結果、図１２（Ｃ）に示すＡのように、従来の加温器を使用した時の循環ポンプの容量ヘッドＨｐから図１２（Ｂ）に示す循環ヘッドＨｊｈ分を差し引いたＢの循環容量で済むこととなる。
【００６４】
したがって、発電プラントにおいて機器を集約化し、システム効率を向上させ、サイズダウンを図り、スペースを有効利用できる。そして、循環ポンプを削減し、また循環ポンプを付設したとしても容量の低減が図れ、サイズ・コストダウンが実現される。
【００６５】
【発明の効果】
以上説明したように、本発明の請求項１によれば、蒸気の直接流入による蒸気凝縮の衝撃を緩和しつつ系統内水を加温する加温手段と、蒸気を駆動流体として系統内水を循環させるジェットポンプ手段とを併有したことにより、発電プラント内の機器の機能を集約化し、効率を向上させ、サイズダウンを図り、スペースを有効利用することができる。
【００６６】
また、蒸気を駆動流体としたジェットポンプ手段を設けたことにより、循環ポンプを削減し、または循環ポンプを付設したとしても、容量の低減が図れ、サイズダウンが実現される。
【００６７】
請求項２によれば、蒸気誘導管から蒸気を誘導して系統内水を加温するとともに、外周ノズル型ジェットポンプにより蒸気を駆動流体として外周より噴射して系統内水を循環させるようにしたので、従来の温水循環加温器と温水循環ポンプとが一体化し、コンパクト化が図れ、製造が容易であり、系統の循環ポンプの削減、または循環ポンプを設置したとしても性能・容量を低減させ、サイズ・コストダウンが実現され、システム運用を簡素化することができる。
【００６８】
請求項３によれば、蒸気誘導管から蒸気を誘導して系統内水を加温するとともに、噴流型ジェットポンプにより蒸気を駆動流体として系統内水の流れ方向に噴射して系統内水を循環させるようにしたので、請求項２と同様の効果が得られる。
【００６９】
請求項４によれば、衝撃緩和材充填部に開閉蓋を取り付けたことにより、定期的に衝撃緩和材を点検・交換または補充することができ、ジェット加温装置の寿命を延ばし、かつ性能を維持し、衝撃緩和材の腐食による細分化に伴う自他の機器への目詰まりを防止し、性能の低下を未然に防ぐことができる。また、衝撃緩和材を点検・交換または補充作業が開閉蓋を開けることにより、可能となるので、メンテナンスが容易になる。
【００７０】
請求項５によれば、蒸気誘導管の先端に、蒸気流入時の系統内水との衝撃を緩和させる衝撃緩和材が充填された緩和材充填管を装着したことにより、発電プラント内で、流体の腐食性が高い場合、腐食の度合に応じて、容易に緩和材充填管全体を交換したり、緩和材充填管に衝撃緩和材を補充したりすることが可能となる。
【００７１】
請求項６によれば、衝撃緩和材が円筒状に形成されたことにより、従来のばね状のものと比較して製造が簡略化され、かつ流入流路に対しても複雑化し、ウォータハンマが低減され、耐食性に優れた効果を発揮する。
【００７２】
請求項７によれば、衝撃緩和材がテトラポット状に形成されたことにより、請求項６の円筒状衝撃緩和材と比較して構造が複雑になるものの、流入流路が一段と複雑化し、蒸気単体量が区切られることとなり、ウォータハンマが低減され、耐食性に優れた効果を発揮する。
【図面の簡単な説明】
【図１】本発明に係る発電プラント用ジェット加温装置の第１実施例を示す断面図。
【図２】（Ａ），（Ｂ）はそれぞれ図１の小孔・多孔板，小孔・多孔ノズル管を示す斜視図。
【図３】本発明に係る発電プラント用ジェット加温装置の第２実施例を示す断面図。
【図４】第１実施例の変形例を示す断面図。
【図５】第２実施例の変形例を示す断面図。
【図６】本発明に係る発電プラント用ジェット加温装置の第３実施例を示す断面図。
【図７】本発明に係る発電プラント用ジェット加温装置の第４実施例を示す断面図。
【図８】第４実施例の変形例を示す断面図。
【図９】（Ａ）は円筒状蒸気衝撃緩和材を示す斜視図，（Ｂ）はその流入流路を示す説明図。
【図１０】（Ａ）はテトラポット状蒸気衝撃緩和材を示す斜視図，（Ｂ）はその流入流路を示す説明図。
【図１１】本発明を適用した発電プラントにおける海洋生息物除去装置用の温水循環系統を示す系統図。
【図１２】（Ａ），（Ｂ），（Ｃ）は本発明を循環ポンプと併用した場合と従来例の循環ポンプとの容量の比較を示す図。
【図１３】従来の発電プラントにおける海洋生息物除去装置用の温水循環系統を示す系統図。
【図１４】図１３の温水循環加温器を示す断面図。
【図１５】図１４の蒸気衝撃緩和材を示す斜視図。
【図１６】従来の外周ノズル型ジェットポンプを示す断面図。
【図１７】従来の噴流型ジェットポンプを示す断面図。
【図１８】従来の蒸気衝撃緩和材に対する蒸気の流れを示す説明図。
【符号の説明】
３０  発電プラント用ジェット加温装置
３１  系統内水誘導管
３２  蒸気誘導管（加温手段）
３３  蒸気衝撃緩和材
３３ａ  円筒状蒸気衝撃緩和材
３３ｂ  テトラポット状蒸気衝撃緩和材
３４  衝撃緩和材充填部
３５  小孔・多孔板
３６  小孔・多孔ノズル管（ジェットポンプ手段）
３７  拡大管（ジェットポンプ手段）
３８  緩和材点検蓋（開閉蓋）
４０  発電プラント用ジェット加温装置
４１  流体混合デフューザ管
４２  緩和材点検蓋（開閉蓋）
５０  発電プラント用ジェット加温装置
５１  緩和材充填短管
６０  発電プラント用ジェット加温装置
６１  緩和材点検蓋
【図１】
0003611373.tif 000002
【図２】
0003611373.tif 000003
【図３】
0003611373.tif 000004
【図４】
0003611373.tif 000005
【図５】
0003611373.tif 000006
【図６】
0003611373.tif 000007
【図７】
0003611373.tif 000008
【図８】
0003611373.tif 000009
【図９】
0003611373.tif 000010
【図１０】
0003611373.tif 000011
【図１１】
0003611373.tif 000012
【図１２】
0003611373.tif 000013
【図１３】
0003611373.tif 000014
【図１４】
0003611373.tif 000015
【図１５】
0003611373.tif 000016
【図１６】
0003611373.tif 000017
【図１７】
0003611373.tif 000018
【図１８】
0003611373.tif 000019